(57)【要約】【課題】騒音の低減を図ることができる送風装置およびこの送風装置を有するプロジェクタを提供すること。【解決手段】送風装置７は、一対のシロッコファン７Ａ，７Ｂと、これらの一対のシロッコファン７Ａ，７Ｂが取り付けられる吸気ダクト８と、送風ダクトとを有する。シロッコファン７Ａ，７Ｂは、吸気ダクト８の投写レンズ設置部分８１を挟むように吸気ダクト８に取り付けられている。また、シロッコファン７Ａ，７Ｂの回転軸は左右上下方向にずれている。【選択図】　図１２
2004138911.tif 000002
【特許請求の範囲】
【請求項１】
光源から射出された光束を画像情報に応じて変調し、変調後の光束を後段に配置される投写レンズによって投写する光学装置を冷却するための送風装置であって、
吸気口が形成された吸気ダクトと、この吸気ダクトの吸気口に対して垂直な吸気面を有し、この吸気面が互いに対向配置された一対のファンと、前記一対のファンに接続され前記光学装置に各ファンからの冷却空気を導く送風ダクトとを備え、
前記各ファンの吸気面の外径は略等しく、前記一対のファンは、それぞれの回転軸がずれた位置に配置されていることを特徴とする送風装置。
【請求項２】
請求項１に記載の送風装置であって、
前記吸気ダクトには、前記投写レンズが設置される投写レンズ設置部分が形成され、
前記一対のファンは、前記投写レンズ設置部分を挟んで前記吸気ダクトに固定部材により固定され、
前記各ファンの回転軸方向から見たときに、他方のファンの固定部材が露出していることを特徴とする送風装置。
【請求項３】
請求項１又は２に記載の送風装置であって、
前記一対のファンはシロッコファンであることを特徴とする送風装置。
【請求項４】
光源から射出された光束を画像情報に応じて変調する光学装置と、この光学装置により変調された前記光束を投写する投写レンズと、
請求項１から３の何れかに記載の送風装置とを備えることを特徴とするプロジェクタ。
【発明の詳細な説明】
【０００１】
【発明の属する技術分野】
本発明は、送風装置及びこの送風装置を備えたプロジェクタに関する。
【０００２】
【背景技術】
従来、例えば画像情報に応じて液晶パネルなどの光学装置で変調された色光をプリズムなどにて合成し、投写レンズを介してカラー画像を拡大投写する、いわゆる三板式のプロジェクタが知られている。このような三板式のプロジェクタは、光源を含む照明光学系、ダイクロイックミラーを含む色分離光学系、複数の光変調装置（液晶パネル）やプリズム等を含む光学装置及び投写光学系を備えている。照明光学系の光源から出射された光束は、色分離光学系によって赤（Ｒ）、緑（Ｇ）および青（Ｂ）の三原色の色光に分離され、光学装置の三枚の液晶パネルにより各色光毎に画像情報に応じて変調される。変調後の光束はクロスダイクロイックプリズムで合成され、投写光学系の投写レンズを介して投写される。
【０００３】
このようにプロジェクタでは、熱に対して比較的に弱い液晶パネルを利用している。光源から発生する熱等による液晶パネルの損傷を防止するために、従来のプロジェクタは、液晶パネル近傍に送風して冷却するファンを備えている。通常、このファンは、投写レンズに隣接させて配設されており、ファンの排気側には、ダクトが設けられている（例えば特許文献１参照）。
【０００４】
【特許文献１】
特開平１１−１６０７９３号公報（第４，５頁、図４，５）
【０００５】
【発明が解決しようとする課題】
しかしながら、このような従来のプロジェクタでは、１つのファンにより光学装置を冷却するので、光学装置にある程度の風量で送風する必要があり、ファンを高回転数で駆動しなければならない。そのため、騒音の低減が図れない問題という問題がある。
【０００６】
本発明は、騒音の低減を図ることができる送風装置およびこの送風装置を有するプロジェクタを提供することを目的とする。
【０００７】
【課題を解決するための手段】
本発明の送風装置は、光源から射出された光束を画像情報に応じて変調し、変調後の光束を後段に配置される投写レンズによって投写する光学装置を冷却するための送風装置であって、吸気口が形成された吸気ダクトと、この吸気ダクトの吸気口に対して垂直な吸気面を有し、この吸気面が互いに対向配置された一対のファンと、前記一対のファンに接続され前記光学装置に各ファンからの冷却空気を導く送風ダクトとを備え、前記各ファンの吸気面の外径は略等しく、前記一対のファンは、それぞれの回転軸がずれた位置に配置されていることを特徴とする。
【０００８】
この本発明によれば、送風装置は２つファンを有しているため、各ファンを低回転数で回転させても風量を確保することができる。従って、騒音の低減を図ることができる。
また、本発明では、一対のファンは吸気面の外径が略等しいので、使用するファンの種類を一種類にすることができる。
さらに、このように吸気面の外径が略等しいファン使用する場合には、回転軸を一致させて設置すると、ファンから出る風切り音等が共振し、騒音が増加する虞がある。これに対し、本発明では、回転軸をずらして配置しているため、風切り音等の共振を防止でき、騒音の増加を防ぐことができる。なお、回転軸は、左右方向にずれていてもよく、また、上下方向にずれていてもよい。さらには、上下左右方向にずれていてもよい。
【０００９】
本発明では、前記吸気ダクトには、前記投写レンズが設置される投写レンズ設置部分が形成され、前記一対のファンは、前記投写レンズ設置部分を挟んで前記吸気ダクトに固定部材により固定され、前記各ファンの回転軸方向から見たときに、他方のファンの固定部材が露出していることが好ましい。
この本発明によれば、一方のファンの回転軸方向から見たときに、他方のファンの固定部材が露出しているので、固定部材を確認しながらファンと吸気ダクトとの固定作業を行うことができる。従って、固定作業を容易かつ正確に行うことができる。
なお、このような本発明の一対のファンとしては、例えば、シロッコファンを使用することができる。
【００１０】
本発明のプロジェクタは、光源から射出された光束を画像情報に応じて変調する光学装置と、この光学装置により変調された前記光束を投写する投写レンズと、上述した何れかの送風装置とを備えることを特徴とする。
本発明では、プロジェクタは上述した何れかの送風装置を有するため、送風装置と同様の作用効果を奏することができる。すなわち、ファンの回転数を低くすることができ、騒音の低減を図ることができる。
【００１１】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学エンジンを含む装置本体を内部に収納する外装ケース２および外装ケース２から露出する投写レンズ３を備えている。
投写レンズ３は、後述する光変調装置としての液晶パネルにより光源から射出された光束を画像情報に応じて変調形成された光学像を拡大投写する投写光学系としての機能を具備するものであり、筒状体内部に複数のレンズが収納された組レンズとして構成される。
【００１２】
筐体としての外装ケース２は、投写方向に直交する幅方向の寸法が投写方向寸法よりも大きい幅広の直方体形状をなし、装置本体の上部を覆うアッパーケース２１と、装置本体の下部を覆うロアーケース２２と、装置本体の前面部分を覆うフロントケース２３とを備えている。これら各ケース２１〜２３は、射出成形等によって成形された合成樹脂製の一体成形品である。
【００１３】
アッパーケース２１は、装置本体の上部を覆う上面部２１Ａと、この上面部２１Ａの幅方向端部から略垂下する側面部２１Ｂ、２１Ｃと、上面部２１Ａの後端部から略垂下する背面部２１Ｄとを備えている。
上面部２１Ａの投写方向前側には、プロジェクタ１の起動・調整操作を行うための操作パネル２４が設けられている。この操作パネル２４は、起動スイッチ、画像・音声等の調整スイッチを含むの複数のスイッチを備え、プロジェクタ１による投写時には、操作パネル２４中の調整スイッチ等を操作することにより、画質・音量等の調整を行うことができる。
【００１４】
また、上面部２１Ａの操作パネル２４の隣には、複数の孔２４１が形成されていて、この内部には、図示を略したが、音声出力用のスピーカが収納されている。
これら操作パネル２４およびスピーカは、後述する装置本体を構成する制御基板と電気的に接続され、操作パネル２４による操作信号はこの制御基板で処理される。
背面部２１Ｄには、略中央部分に上面部２１Ａ側に切り欠かれた凹部が形成され、この凹部には、後述する制御基板に接続されたインターフェース基板上に設けられたコネクタ群２５が露出する。
【００１５】
ロアーケース２２は、アッパーケース２１との係合面を中心として略対称に構成され、底面部２２Ａ、側面部２２Ｂ、２２Ｃ、および背面部２２Ｄを備えている。そして、側面部２２Ｂ、２２Ｃ、および背面部２２Ｄは、その上端部分でアッパーケース２１の側面部２１Ｂ、２１Ｃ、および背面部２１Ｄの下端部分と係合し、外装ケース２の側面部分および背面部分を構成する。
【００１６】
底面部２２Ａには、プロジェクタ１の後端側略中央に固定脚部２６が設けられているとともに、先端側幅方向両端に調整脚部２７が設けられている。
この調整脚部２７は、底面部２２Ａから面外方向に進退自在に突出する軸状部材から構成され、軸状部材自体は、外装ケース２の内部に収納されている。このような調整脚部２７は、プロジェクタ１の側面部分に設けられる調整ボタン２７１を操作することにより、底面部２２Ａからの進退量を調整することができる。
これにより、プロジェクタ１から射出された投写画像の上下位置を調整し、適切な位置に投写画像を形成することができるようになる。
【００１７】
また、底面部２２Ａには、外装ケース２の内部と連通する開口部２８、２９、３０が形成されている。
開口部２８は、プロジェクタ１の光源を含む光源装置を着脱する部分であり、通常は、ランプカバー２８１によって塞がれている。
開口部２９、３０は、スリット状の開口部として構成される。
開口部２９は、光源ランプから射出された光束を画像情報に応じて変調する光変調装置としての液晶パネルを含む光学装置を冷却するための冷却空気取込用の吸気用開口部である。
開口部３０は、プロジェクタ１の装置本体を構成する電源ユニット、光源駆動回路を冷却するための冷却空気取込用の吸気用開口部である。
尚、開口部２９、３０は、そのスリット状開口部分で常時プロジェクタ１内部と連通しているため、塵埃等が内部に侵入しないように、それぞれの内側に防塵フィルタが設けられている。なお、開口部３０には、必要に応じて防塵フィルタを設ければよく、この防塵フィルタはなくてもよい。防塵フィルタを設けない場合にはコスト低減を図ることができる。
【００１８】
さらに、底面部２２Ａには、底面部２２Ａに対して外側にスライド自在に取り付けられた蓋部材３１が設けられていて、この蓋部材３１の内部には、プロジェクタ１を遠隔操作するためのリモートコントローラが収納されるようになっている。尚、図示しないリモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、外装ケース前面および背面に設けられる受光部３１１を介して制御基板で処理される。
【００１９】
背面部２２Ｄには、アッパーケース２１の場合と同様に、略中央部分に底面部２２Ａ側に切り欠かれた凹部が形成され、前記インターフェース基板上に設けられたコネクタ群２５が露出するとともに、端部近傍にもさらに開口部３２が形成されていて、この開口部３２からインレットコネクタ３３が露出している。インレットコネクタ３３は、外部電源からプロジェクタ１に電力を供給する端子であり、後述する電源ユニットと電気的に接続される。
【００２０】
フロントケース２３は、前面部２３Ａおよび上面部２３Ｂを備えて構成され、上面部２３Ｂの投写方向後端側で前述したアッパーケース２１およびロアーケース２２の投写方向先端部分と係合する。
前面部２３Ａには、投写レンズ３を露出させるための略円形状の開口部３４、およびその隣に形成された複数のスリットから構成される開口部３５が形成されている。
【００２１】
開口部３４は、その上面側がさらに開口され、投写レンズ３の鏡筒の一部が露出していて、鏡筒周囲に設けられたズーム・フォーカス調整用のつまみ３Ａ、３Ｂを外部から操作することができるようになっている。
開口部３５は、装置本体を冷却した空気を排出する排気用開口部として構成され、後述するプロジェクタ１の構成部材である光学系、制御系、および電源ユニット・ランプ駆動ユニットを冷却した空気は、この開口部３５からプロジェクタ１の投写方向に排出される。
【００２２】
（２）内部構成
このような外装ケース２の内部には、図３〜図５に示されるように、プロジェクタ１の装置本体が収納されており、この装置本体は、図３に示される光学ユニット４、制御基板５、および、図４に示される電源ブロック６を備えて構成される。
（２−１）光学ユニット４の構造
光学エンジンとしての光学ユニット４は、光源装置から射出された光束を画像情報に応じて変調して光学像を形成し、投写レンズ３を介してスクリーン上に投写画像を形成するものであり、図４に示されるライトガイド４０という光学部品用筐体内に、光源装置や、種々の光学部品等を組み込んだものとして構成される。
このライトガイド４０は、下ライトガイド４０１、および図４では図示を略した上ライトガイドから構成され、それぞれは、射出成形等による合成樹脂製品である。
【００２３】
下ライトガイド４０１は、光学部品を収納する底面部４０１Ａ及び側壁部４０１Ｂからなる上部が開口された容器状に形成され、側壁部４０１Ｂには、複数の溝部４０１Ｃが設けられている。この溝部４０１Ｃには、光学ユニット４を構成する種々の光学部品が装着され、これにより各光学部品は、ライトガイド４０内に設定された照明光軸上に精度よく配置される。上ライトガイドは、この下ライトガイド４０１に応じた平面形状を有し、下ライトガイド４０１の上面を塞ぐ蓋状部材として構成される。
また、下ライトガイド４０１の底面部４０１Ａの光束射出側端部には、円形状の開口部が形成された前面壁が設けられていて、この前面壁には、投写レンズ３の基端部分が接合固定される。
【００２４】
このようなライトガイド４０内は、図５に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、第１レンズアレイ４１２、第２レンズアレイ４１３、偏光変換素子４１４、および重畳レンズ４１５を備えて構成される。
【００２５】
光源装置４１１は、放射光源としての光源ランプ４１６およびリフレクタ４１７を備え、光源ランプ４１６から射出された放射状の光線をリフレクタ４１７で反射して略平行光線とし、外部へと射出する。本例では、光源ランプ４１６として高圧水銀ランプを採用しているが、これ以外にメタルハライドランプやハロゲンランプを採用することもある。また、本例では、リフレクタ４１７として放物面鏡を採用しているが、楕円面鏡からなるリフレクタの射出面に平行化凹レンズを配置した構成も採用することもできる。
【００２６】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。各小レンズの輪郭形状は、後述する液晶パネル４４１の画像形成領域の形状とほぼ相似形をなすように設定される。例えば、液晶パネル４４１の画像形成領域のアスペクト比（横と縦の寸法の比率）が４：３であるならば、各小レンズのアスペクト比も４：３に設定される。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を液晶パネル４４１上に結像させる機能を有する。
【００２７】
偏光変換素子４１４は、第２レンズアレイ４１３からの光を１種類の偏光光に変換するものであり、これにより、光学装置４４での光の利用率が高められている。
具体的に、偏光変換素子４１４によって１種類の偏光光に変換された各部分光束は、重畳レンズ４１５によって最終的に光学装置４４の液晶パネル４４１上にほぼ重畳される。偏光光を変調するタイプの液晶パネル４４１を用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４における光の利用効率を高めている。なお。このような偏光変換素子４１４は、例えば、特開平８−３０４７３９号公報に紹介されている。
【００２８】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００２９】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００３０】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００３１】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される射出側偏光板４４３と、色合成光学系としてのクロスダイクロイックプリズム４４４とを備える。
【００３２】
液晶パネル４４１Ｒ、４４１Ｇ、４４１Ｂは、例えば、ポリシリコンＴＦＴをスイッチング素子として用いたものであり、図示を略したが、対向配置される一対の透明基板内に液晶が密封封入されたパネル本体を、保持枠内に収納して構成される。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００３３】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００３４】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００３５】
以上説明した光学装置４４の液晶パネル４４１、射出側偏光板４４３およびクロスダイクロイックプリズム４４４は、一体的にユニット化された光学装置本体４５として構成されている。図６は、光学装置本体４５を示す斜視図である。
光学装置本体４５は、図６に示すように、上述した液晶パネル４４１、射出側偏光板４４３、クロスダイクロイックプリズム４４４の他に、台座４４５と、保持枠４４６と、保持部材としてのパネル固定板４４７とを備えている。そして、保持枠４４６は、液晶パネル４４１を収納し、パネル固定板４４７を介してクロスダイクロイックプリズム４４４の光束入射端面に一体的に固定される。
【００３６】
台座４４５は、クロスダイクロイックプリズム４４４の下面に固定され、一体化された光学装置４４を下ライトガイド４０１に固定する。この台座４４５は、略矩形状に形成された板材であり、その四隅から延出する延出部４４５Ａを備えている。そして、この延出部４４５Ａは、先端部分に孔４４５Ｂが形成され、下ライトガイド４０１の底面部４０１Ａに形成された図示しない孔と該孔４４５Ｂとをねじ等により螺合することで、光学装置本体４５が下ライトガイド４０１に固定される。
保持枠４４６は、液晶パネル４４１を収納する。この保持枠４４６は、液晶パネル４４１を収容する凹型枠体４４６Ａと、凹型枠体４４６Ａと係合し収納した液晶パネル４４１を押圧固定する支持板４４６Ｂとを備えている。凹型枠体４４６Ａの四隅には、孔４４６Ｄが形成されている。
【００３７】
パネル固定板４４７は、液晶パネル４４１を収納する保持枠４４６を保持固定する。このパネル固定板４４７は、矩形板状体４４７Ａと、この矩形板状体４４７Ａの四隅から突設され、保持枠４４６の孔４４６Ｄに挿入されるピン４４７Ｂとを備えている。ここで、ピン４４７Ｂの位置は、矩形板状体４４７Ａの隅である必要はない。また、ピン４４７Ｂの数は、４つに限らず、２つ以上であれば良い。すなわち、設計に応じて、保持枠４４６の孔４４６Ｄと対応するように形成すればよい。
【００３８】
（２−２）制御基板５の構造
制御基板５は、図３に示すように、光学ユニット４の上側を覆うように配置され、演算処理装置、液晶パネル４４１駆動用ＩＣが実装されたメイン基板５１と、このメイン基板５１の後端側で接続され、外装ケース２の背面部２１Ｄ、２２Ｄに起立するインターフェース基板５２とを備えている。
インターフェース基板５２の背面側には、前述したコネクタ群２５が実装されていて、コネクタ群２５から入力する画像情報は、このインターフェース基板５２を介してメイン基板５１に出力される。
【００３９】
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
このようなメイン基板５１は、パンチングメタルを折り曲げ加工した板金５３によって覆われ、この板金５３は、メイン基板５１上の回路素子等によるＥＭＩ（電磁障害）を防止するために設けられている。
【００４０】
（２−３）電源ブロック６の構造
電源ブロック６は、図７に示される電源回路を備えた電源ユニット６１と、この電源ユニット６１の下方に配置される図８に示される光源駆動回路を備えたランプ駆動ユニット６２とを備えている。
電源ユニット６１は、前述したインレットコネクタ３３に接続された図示しない電源ケーブルを通して外部から供給された電力を、前記ランプ駆動ユニット６２や制御基板５等に供給するものである。
【００４１】
ランプ駆動ユニット６２は、前述した光源装置４１１に安定した電圧で電力を供給するための変換回路であり、電源ユニット６１から入力した商用交流電流は、このランプ駆動ユニット６２によって整流、変換されて、直流電流や交流矩形波電流となって光源装置４１１に供給される。
【００４２】
また、ランプ駆動ユニット６２は、ロアーケース２２の底面部２２Ａ内面に立設された複数の板状体６４によって囲まれているとともに、複数の板状体６４は、底面部２２Ａに形成された吸気用の開口部３０をも囲むように設けられていて、開口部３０近傍の空間およびランプ駆動ユニット６２が配置された空間は、これら複数の板状体６４によってロアーケース２２内で他の空間から独立している。
尚、複数の板状体６４は、ロアーケース２２の射出成形時に同時に一体的に成形して構成されたものである。
【００４３】
（２−４）冷却構造
前述したプロジェクタ１には、図９に示されるように、内部に光学装置４４の冷却系Ａと、電源ブロック６の冷却系Ｂとが設定されている。
（２−４−１）冷却系Ｂの構成
冷却系Ｂは、電源ユニット６１に設けられた吸気ファン（図示略）によって開口部３０から取り込まれた冷却空気の流れであり、電源ユニット６１およびランプ駆動ユニット６２を冷却する系である。吸気ファンにより開口部３０から取り込まれた空気の一部は、電源ユニット６１の図示しない基板に実装された回路素子を冷却した後、直接フロントケース２３に形成された開口部３５から外部に排出される。
【００４４】
（２−４−２）冷却系Ａの構成
冷却系Ａは、送風装置７によって開口部２９から吸気された冷却空気の流れである。
図１０から図１４を参照して送風装置７について説明する。
送風装置７は、図１０に示すように、一対のシロッコファン７Ａ，７Ｂと、これらの一対のシロッコファン７Ａ，７Ｂが取り付けられる吸気ダクト８と、送風ダクト９とを有する。
【００４５】
図１１にも示すように、シロッコファン７Ａは、羽根７１２を有するファン本体７１と、ファン本体７１が収納されるケース７２とを有する。
ファン本体７１は、電動部７１１とこの電動部７１１の図示しない回転軸に一体的に取り付けられた羽根７１２とを有する。
ケース７２は、中空略円筒形状であり、ファン本体７１の回転軸の軸方向の一端面は、開口されて吸気面７２１となっている。この吸気面７２１は、後述する吸気ダクト８の吸気口８５に対し垂直な面である。また、ファン本体７１の回転軸の接線側も開口されており、排気面７２３となっている。さらに、ケース７２の上部及び下部には、シロッコファン７Ａを吸気ダクト８に固定するためのナット７３が設けられている。このナット７３はファン本体７１の回転軸を挟んで対向する位置に設けられている。
【００４６】
シロッコファン７Ｂもシロッコファン７Ａと同様に、ファン本体７１とケース７２とを有している。すなわち、シロッコファン７Ａとシロッコファン７Ｂとは吸気面７２１の外径が等しい同一形状、同一性能のファンである。
これらの一対のシロッコファン７Ａ，７Ｂは、吸気面７２１を対向配置させ、後述する投写レンズ設置部分８１を挟んで吸気ダクト８に取り付けられている。
【００４７】
吸気ダクト８は、外装ケース２の底面部２２Ａの開口部２９からシロッコファン７Ａ，７Ｂの吸気面７２１までの空気の流路を形成するものである。この吸気ダクト８は、底面が開口した中空の直方体の上面を円弧状に湾曲させた形状となっている。この底面の開口が送風装置７の吸気口８５であり（図１３，１４参照）、この吸気口８５は、外装ケース２の開口部２９に連通する。また、円弧状の湾曲部分は、投写レンズ３が設置される投写レンズ設置部分８１である。
【００４８】
さらに、吸気ダクト８の両側面には、開口８２が形成されている。この開口８２の上部及び下部には、係合穴が形成された係合部８４が設けられている。この係合部８４は開口８２の中心部を挟んで対向する位置に設けられている。係合部８４に固定部材、例えば、ねじを通し、係合穴にねじの頭を係合させ、シロッコファン７Ａ，７Ｂのナット７３にねじを螺合することで、吸気ダクト８の両側面に形成された開口８２にシロッコファン７Ａ，７Ｂの吸気面７２１が接続されることとなる。
シロッコファン７Ａと吸気ダクト８とを固定するためのねじは、シロッコファン７Ｂの回転軸方向Ｑから見た場合に、露出しており、また、シロッコファン７Ｂと吸気ダクト８とを固定するためのねじはシロッコファン７Ａの回転軸方向Ｐから見た場合に露出している。
【００４９】
また、吸気ダクト８の両側面の開口８２の位置は、その中心点が左右上下方向にずれるように形成されている。すなわち、図１２及び図１３に示すようにこの開口８２に取り付けられるシロッコファン７Ａ，７Ｂの回転軸は左右上下方向にずれることとなる。なお、図１２は、送風装置７を図１０の矢印Ｒ方向から見た側面図であり、図１３は、送風装置７を下方から見た平面図である。また、図１２及び図１３中、符号Ｓはシロッコファン７Ａの回転軸の中心を通る直線であり、符号Ｔはシロッコファン７Ｂの回転軸の中心を通る直線である。
【００５０】
また、図１３及び図１４に示すように、投写レンズ設置部分８１の下面には、上下方向に沿った平面を有する整流板８３が取り付けられている。この整流板８３は、投写レンズ３の軸方向に沿って配置されており、投写レンズ設置部分８１の下方の空間を二分割している。すなわち、空気の流路は整流板８３により、吸気口８５からシロッコファン７Ａの吸気面７２１までの第１流路と、吸気口８５からシロッコファン７Ｂの吸気面７２１までの第２流路に分割される。
【００５１】
次に、図１３及び図１４に加え、図１０，１１をも参照して送風ダクト９について説明する。送風ダクト９は、シロッコファン７Ａ，７Ｂからの冷却空気を光学装置本体４５に導くものであり、吸気ダクト８と一体的に形成されている。この送風ダクト９は、シロッコファン７Ａに接続される第１送風ダクト９１と、シロッコファン７Ｂに接続される第２送風ダクト９２とを有する。
第１送風ダクト９１は、平面Ｌ字形の筒状に形成されており、投写レンズ３の軸方向に延びる案内部９１１と、この案内部９１１から投写レンズ３の軸方向と直交する方向に延びる排出部９１２とを有する。案内部９１１は、シロッコファン７Ａの排気面７２３と連通している。
【００５２】
第２送風ダクト９２も平面Ｌ字形の筒状に形成されており、投写レンズ３の軸方向に延びる案内部９２１と、この案内部９２１から投写レンズ３の軸方向と直交する方向に延びる排出部９２２とを有する。
案内部９２１は、シロッコファン７Ｂの排気面７２３と連通している。この案内部９２１は、排出部９２２につながる第１案内部９２１Ａと、偏光変換素子４１４や、光源ランプ４１６へ空気を送る第２案内部９２１Ｂとに２分割されている。
排出部９２２は、第１送風ダクト９１の排出部９１２と平行に隣接して配置されている。なお、第２送風ダクト９２の排出部９２２は、第１送風ダクト９１の排出部９１２よりも投写レンズ設置部分８１側に位置している。
【００５３】
このような第１送風ダクト９１の案内部９１１、排出部９１２、第２送風ダクト９２の案内部９２１、排出部９２２の下面には、図示しないがこれらを一体的に覆う下抑え板が設けられている。また、第１送風ダクト９１の排出部９１２、及び第２送風ダクト９２の排出部９２２には、これらに一体成形され、かつ、これらの上面を一体的に覆う上抑え板９３が設けられている。
この上抑え板９３には、３つの排出口９３１Ｒ，９３１Ｇ，９３１Ｂが形成されている。これらの３つの排出口９３１Ｒ，９３１Ｇ，９３１Ｂは、光学装置本体４５を下ライトガイド４０１の底面部にねじ止め固定した際に、それぞれが光学装置本体４５の液晶パネル４４１Ｒ、４４１Ｇ、４４１Ｂの下面となるように形成されている。
【００５４】
また、これらの３つの排出口９３１Ｒ，９３１Ｇ，９３１Ｂのうち、排出口９３１Ｇは、第２送風ダクト９２の排出部９２２上に位置している。また、排出口９３１Ｒ，９３１Ｇは、第１送風ダクト９１の排出部９１２上に位置している。すなわち、シロッコファン７Ａからの空気は第１送風ダクト９１の案内部９１１、排出部９１２を通り、上抑え板９３の排出口９３１Ｇから排出される。一方、シロッコファン７Ｂからの空気は第２送風ダクト９２の第１案内部９２１Ａ、排出部９２２を通り、上抑え板９３の排出口９３１Ｒ，９３１Ｂから排出される。
このような排出口９３１Ｒ，９３１Ｇ，９３１Ｂの周縁には上方に延びる一対の立上片９３２が形成されている。
【００５５】
次に、送風装置７の冷却動作について説明する。
シロッコファン７Ａ，７Ｂに電力を供給して羽根７１２を回転させると、ケース７２内の空気が排気面７２３を介して送風ダクト９に流れる。これにより、ケース７２内の大気圧に対する負圧が増大する。さらに、ケース７２の吸気面７２１に連通する吸気ダクト８内も大気圧に対する負圧が増加する。そして、外装ケース２の開口部２９から外部の空気が吸気される。この空気は、吸気口８５に取り込まれ、整流板８３により、二等分されて、それぞれ、第１流路と第２の流路に流れていく。すなわち、吸気された空気のうち半分はシロッコファン７Ａのケース７２内へ、残りの半分はシロッコファン７Ｂのケース７２へ流れる。
【００５６】
さらに、このケース７２内に流れた空気は、それぞれ、第１送風ダクト９１、第２送風ダクト９２へ流れていく。第１送風ダクト９１の案内部９１１及び排出部９１２へ流れた空気は、排出口９３１Ｇから排出される。
また、第２送風ダクト９２の案内部９２１の第１案内部９２１Ａ及び排出部９２２へ流れた空気は２つの排出口９３１Ｒ，９３１Ｂから排出される。なお、第２送風ダクト９２の第２案内部９２１Ｂに流れた空気は、偏光変換素子４１４や、光源ランプ４１６側へ流れていく。
【００５７】
排出口９３１Ｒ，９３１Ｂから排出された空気は、クロスダイクロイックプリズム４４４の光束入射端面と、液晶パネル４４１Ｒ、４４１Ｂとの間の隙間を通り、液晶パネル４４１Ｒ、４４１Ｂ、射出側偏光板４４３、入射側偏光板４４２を冷却する。
排出口９３１Ｇから排出された空気は、クロスダイクロイックプリズム４４４の光束入射端面と、液晶パネル４４１Ｇとの間の隙間を通り、液晶パネル４４１Ｇ、射出側偏光板４４３、入射側偏光板４４２を冷却する。なお、この空気はクロスダイクロイックプリズム４４４の光束入射端面に沿って下方から上方に流れる。
【００５８】
クロスダイクロイックプリズム４４４の上方に流れた空気は、制御基板５を構成するメイン基板５１にあたってその流れ方向が直角に曲折され、メイン基板５１に実装された種々の回路素子を冷却する。
メイン基板５１に沿って流れる空気は、排気ファン１１および排気ダクト１２を備えた排気ダクトユニット１０によって集荷され、フロントケース２３の開口部３５からプロジェクタ１の外部に排出される（図９に示す経路Ａ１）。
【００５９】
また、第２送風ダクト９２の案内部９２１の第２案内部９２１Ｂに流れた空気はロアーケース２２の底面部２２Ａと、下ライトガイド４０１の下面との間に形成された隙間を流れ、その途中でさらに２方向に分岐する。一方の分岐した空気は、偏光変換素子４１４に応じた位置の下ライトガイド４０１の下面に形成されたスリット孔からライトガイド４０内部に供給され、偏光変換素子４１４を冷却する。その後、光源装置４１１に供給されて光源ランプ４１６を冷却する（図９に示す経路Ａ２）。
他方に分岐した空気は、直接光源装置４１１に供給されて同様に光源ランプ４１６を冷却する（図９に示す経路Ａ３）。
このように光源ランプ４１６を冷却した空気は、排気ファン１１および排気ダクト１２を備えた排気ダクトユニット１０によって集荷され、フロントケース２３の開口部３５からプロジェクタ１の外部に排出される。
【００６０】
（３）実施形態の効果
前述のような本実施形態によれば、次のような効果がある。
送風装置７は２つのシロッコファン７Ａ，７Ｂを有しているため、各シロッコファン７Ａ，７Ｂを低回転数で回転させても風量を確保することができる。従って、騒音の低減を図ることができる。
また、一対のファン７Ａ，７Ｂは同一形状、同一性能のファンとしているので、使用するファンの種類を一種類にすることができる。
【００６１】
さらに、このように同一形状のファン７Ａ，７Ｂ使用する場合には、回転軸を一致させて設置すると、ファン７Ａ，７Ｂから出る風切り音等が共振し、騒音が増加する虞がある。これに対し、本実施形態では、ファン７Ａ，７Ｂの回転軸を上下左右方向にずらして配置しているため、騒音の共振を防止でき、騒音の増加を防ぐことができる。
シロッコファン７Ａ，７Ｂは、外装ケース２の底面部２２Ａの開口部２９を介して空気を吸気している。開口部２９は、底面部２２Ａに形成されていることから、空気中の粉塵が入りにくく、シロッコファン７Ａ，７Ｂ等に粉塵が付着して冷却効率が低下したりすることを防止できる。
【００６２】
一方のファン、例えばシロッコファン７Ａの回転軸方向Ｐから見たときに、他方のファン、例えばシロッコファン７Ｂのねじが露出しているので、ねじを見ながらシロッコファン７Ｂと吸気ダクト８との固定作業を行うことができる。従って、固定作業を容易かつ正確に行うことができる。
【００６３】
さらに、シロッコファン７Ａ，７Ｂと吸気ダクト８とは、ねじにより固定されることが多いが、ファン７Ａ，７Ｂ側から吸気ダクト８に向かってねじを螺合する場合には、投写レンズ３との干渉を避けなければならないため、吸気ダクト８には所定以上の長さのナットを設けることができない。従って、所定以上の取り付け強度を確保するために、シロッコファン７Ａ，７Ｂと吸気ダクト８の双方にナットを取り付ける必要がある。
これに対し、吸気ダクト８側からシロッコファン７Ａ，７Ｂ側に向かってねじを螺合する場合には、シロッコファン７Ａ，７Ｂに十分な長さのナットを設けることができるので、吸気ダクト８側には単にねじの頭を係合する係合部８４を形成するだけでよい。従って、吸気ダクト８側にはナットが不要となり、部材点数の削減を図ることができる。
【００６４】
さらに、整流板８３を設け、さらに、第２送風ダクト９２の案内部９２１を第１案内部９２１Ａと第２案内部９２１Ｂに２分割したので、吸気口８５から吸気された空気のうち、１／４は、排出口９３１Ｒ，９３１Ｂへ流れ、半分は、排出口９３１Ｇに流れる。従って、液晶パネル４４１Ｒ、４４１Ｂは、それぞれ吸気された空気の１／８の空気で冷却され、液晶パネル４４１Ｇは１／２の空気で冷却されることとなる。通常、光源ランプ４１６からは、赤色光Ｒ、青色光Ｂ、緑色光Ｇのうち、緑色光Ｇが最も強く射出されるので、緑色光Ｇが透過する液晶パネル４４１Ｇが最も温度が上がりやすい。したがって、本実施形態のように、液晶パネル４４１Ｇを吸気された空気の１／２で冷却することで、効果的に液晶パネル４４１Ｇを冷却することができる。
【００６５】
また、排出口９３１Ｒ，９３１Ｇ，９３１Ｂには、上方に延びる一対の立上片９３２が形成されているので、排出口９３１Ｒ，９３１Ｇ，９３１Ｂから排出される冷却空気を上方の液晶パネル４４１Ｒ，４４１Ｇ，４４１Ｂ側に確実に案内でき、効率的に冷却することができる。
【００６６】
なお、本発明は前述の実施の形態に限定されるものではなく、本発明の目的を達成できる範囲での変形、改良等は本発明に含まれるものである。
例えば、前記実施形態では、シロッコファン７Ａと吸気ダクト８とを固定するためのねじは、シロッコファン７Ｂの回転軸方向Ｑから見た場合に、露出しているとしたが、これに限らず、前記ねじがシロッコファン７Ｂにより隠れてしまう位置に形成されていてもよい。この場合には、吸気ダクト８を上側から覗き込むようにしてねじを螺合すればよい。
また、前記実施形態では、固定部材としてねじを採用したが、これには限らず、吸気ダクト８とシロッコファン７Ａ，７Ｂとを固定できるものであればよく、例えば、リベット等であってもよい。
【００６７】
また、前記実施形態では、整流板８３を設け、開口部２９から吸気された空気のうち、１／４は、排出口９３１Ｒ，９３１Ｂへ流れ、半分は、排出口９３１Ｇに流れる構成としたが、これに限らず、３つの排出口９３１Ｒ，９３１Ｇ，９３１Ｂに均等に空気が流れるものとしてもよい。
【００６８】
さらに、前記実施形態では、シロッコファン７Ａ，７Ｂの回転軸が上下左右方向にずれているとしたが、これに限らず、左右方向のみ、又は上下方向のみずれているものであってもよい。ただし、この場合、音の共振を確実に防ぐには、対向配置されるシロッコファン７Ａとシロッコファン７Ｂの回転軸のずれを大きくとる必要があり、送風装置が大型化する可能性がある。これに対し、本実施形態のように、上下左右方向に回転軸をずらせば、回転軸のずれが小さくても確実に共振を防ぐことができる。従って、送風装置７が大型化しないという利点がある。
【図面の簡単な説明】
【図１】本発明の実施形態のプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの光学系の構造を表す模式図。
【図６】前記実施形態における光学装置本体を示す斜視図。
【図７】前記実施形態における電源回路の配置を表す概要斜視図。
【図８】前記実施形態における光源駆動回路の配置を表す概要斜視図。
【図９】プロジェクタの冷却系を表す概要斜視図。
【図１０】送風装置を示す斜視図。
【図１１】前記送風装置の分解斜視図。
【図１２】前記送風装置の側面図。
【図１３】前記送風装置の平面図。
【図１４】前記送風装置を下面から見た場合の斜視図。
【符号の説明】
１…プロジェクタ、３…投写レンズ、７Ａ，７Ｂ…シロッコファン、７…送風装置、８…吸気ダクト、９…送風ダクト、４４…光学装置、８１…投写レンズ設置部分、８５…吸気口、７２１…吸気面。
【図１】
2004138911.tif 000003
【図２】
2004138911.tif 000004
【図３】
2004138911.tif 000005
【図４】
2004138911.tif 000006
【図５】
2004138911.tif 000007
【図６】
2004138911.tif 000008
【図７】
2004138911.tif 000009
【図８】
2004138911.tif 000010
【図９】
2004138911.tif 000011
【図１０】
2004138911.tif 000012
【図１１】
2004138911.tif 000013
【図１２】
2004138911.tif 000014
【図１３】
2004138911.tif 000015
【図１４】
2004138911.tif 000016